(57)【要約】【課題】同軸ケーブルをテレビ端子やアンテナ端子等の同軸接栓に固定でき、しかも、構成が簡単でノイズの侵入を防止することのできる同軸ケーブルコネクタを提供する。【解決手段】同軸ケーブルの芯線周りの絶縁部材と外部導体との間に挿入される挿入部１２と、挿入部１２の周囲に形成された鍔部１４と、挿入部１２の同軸ケーブルとは反対側に設けられ、接続対象となるＦ型接栓等が挿嵌される嵌合部２２とを備えた同軸ケーブルコネクタにおいて、嵌合部２２の開口端側を、外方向に広がるテーパ状に形成し、そのテーパ状に形成された部分を、スリット３０を介して複数に分割する。そして、その嵌合部２２の周囲に、導電性金属からなるスライドリング４０を設け、このスライドリング４０を軸方向に移動させることで、嵌合部２２の径を拡大／縮小できるようにする。【選択図】図２
2010257936.tif 000002
【特許請求の範囲】
【請求項１】
筒状で、一方の開口端側が同軸ケーブルの外部導体と接続可能に形成され、内部空間内に、前記同軸ケーブルの芯線若しくは該芯線に接続された棒状端子を挿通可能なコネクタ本体と、
前記コネクタ本体の前記同軸ケーブルとは反対側の開口端に設けられ、接続対象となる同軸接栓を挿嵌可能な筒状の嵌合部と、
を備え、前記コネクタ本体及び嵌合部が導電性の金属にて構成された同軸ケーブルコネクタにおいて、
前記嵌合部は、前記コネクタ本体とは反対側の開口端側が、外方向に向かって径が広がるテーパ状に形成され、しかも、そのテーパ部分が、開口端側から当該嵌合部の中心軸に沿って形成された複数のスリットによって複数に分割されることにより、開口端側が縮径可能に構成され、
前記嵌合部の周囲には、導電性金属にて筒状に形成され、前記コネクタ本体側から前記スリットが形成された開口端側若しくはその逆方向へと、当該嵌合部の中心軸に沿って双方向に移動可能なスライドリングが設けられていることを特徴とする同軸ケーブルコネクタ。
【請求項２】
前記嵌合部の開口端側内周面には、前記同軸接栓の外周面に形成されたねじ山に係合可能な突条が形成されていることを特徴とする請求項１に記載の同軸ケーブルコネクタ。
【請求項３】
前記スライドリングの内周面及び前記嵌合部の外周面の少なくとも一方に、前記スライドリングが前記嵌合部の開口端側に移動されて前記嵌合部を縮径させた特定位置にて、前記嵌合部側若しくは前記スライドリング側の係合部と係合して、前記スライドリングを位置決めする係合突起が形成されていることを特徴とする請求項１又は請求項２に記載の同軸ケーブルコネクタ。
【請求項４】
前記嵌合部の外周面に形成される係合部は、前記スライドリングが前記嵌合部の開口端側に移動されてスライドリングの係合部と係合する際、前記嵌合部の開口端が拡縮してスライドリングの内周面に当たり、音を発生するよう、前記嵌合部の開口端近傍に形成されていることを特徴とする請求項３に記載の同軸ケーブルコネクタ。
【請求項５】
前記スライドリングの周囲には、樹脂製のリングカバーが設けられていることを特徴とする請求項１〜請求項４の何れか１項に記載の同軸ケーブルコネクタ。
【請求項６】
前記スライドリングには、前記コネクタ本体とは反対側の開口端からコネクタ本体側に向かって、前記嵌合部のスリットよりも短く、且つ、前記嵌合部のスリットと重なることのないよう、複数のスリットが形成されており、
前記リングカバーは、前記スライドリングのコネクタ本体側の端部に設けられていることを特徴とする請求項５に記載の同軸ケーブルコネクタ。
【請求項７】
前記コネクタ本体の内部空間内には、同軸ケーブルの芯線が圧着された棒状端子を前記嵌合部内に突出させた状態で保持する絶縁性部材が設けられており、
前記コネクタ本体の内周面に接する前記絶縁性部材の外周面において、前記同軸ケーブルの芯線と棒状端子との圧着部分に対応する位置には、前記コネクタ本体の内周面との間で空間を形成する凹部が形成されていることを特徴とする請求項１〜請求項６の何れか１項に記載の同軸ケーブルコネクタ。
【請求項８】
前記嵌合部には、当該嵌合部内に前記同軸接栓を挿入した際、当該嵌合部の内周面と前記同軸接栓の外周面との間に配設されて同軸接栓の外周面を付勢する板ばねが設けられていることを特徴とする請求項１〜請求項７の何れか１項に記載の同軸ケーブルコネクタ。
【発明の詳細な説明】
【技術分野】
【０００１】
本発明は、同軸ケーブルの端部に装着されて、同軸ケーブルをテレビ端子等の同軸接栓に接続するための同軸ケーブルコネクタに関する。
【背景技術】
【０００２】
従来、建造物の壁面に設置されたテレビ端子や、各種受信機器に設けられたアンテナ端子には、同軸型で外部導体側が突出され、その外周面にねじ山が形成されたＦ型接栓が使用されている。
【０００３】
そして、この種のＦ型接栓に同軸ケーブルを接続するための同軸ケーブルコネクタとしては、同軸ケーブルの芯線の周囲の絶縁部材と絶縁部材の周囲の外部導体との間に挿入される筒状の挿入部と、挿入部を同軸ケーブルに挿入した際に外部導体若しくは外部導体周囲の被覆部材に当接されて同軸ケーブルを位置決めする鍔部と、挿入部の同軸ケーブル側とは反対側に設けられてＦ型接栓の外部導体に嵌合（外嵌）可能な嵌合部と、から構成されたものが知られている。
【０００４】
また、この同軸ケーブルコネクタには、挿入部に対し嵌合部を回転可能に固定し、嵌合部の内周面に、Ｆ型接栓の外部導体周囲に形成されたねじ山と螺合可能なねじ山を形成したものと、嵌合部の内周面にはねじ山は形成せず、単に嵌合部内にＦ型接栓の外部導体を挿入するようにしたものと、の２種類が知られている。
【０００５】
この内、前者のものは、Ｆ型接栓の外部導体側に形成されたねじ山を利用して、同軸ケーブルをＦ型接栓にしっかりと固定できるようになるが、Ｆ型接栓への装着時に嵌合部を回転させる必要があるため、使用できないことがあった。
【０００６】
つまり、テレビ端子やアンテナ端子として使用されるＦ型接栓は、外部導体側が突出されることから、その設置箇所（つまり、建造物の壁面や受信機器の筐体）には、Ｆ型接栓が外に突出することのないよう凹部が形成されることがある。しかし、この場合、Ｆ型接栓周囲のスペースが狭いと、同軸ケーブルコネクタを装着する際に嵌合部を回転させることができないため、上記前者の同軸ケーブルコネクタは、使用することができなくなる。
【０００７】
一方、嵌合部の内周面にねじ山を形成せず、嵌合部内にＦ型接栓の外部導体を挿入するようにした同軸ケーブルコネクタは、嵌合部を回転させる必要がないので、構造が簡単になり、しかも、Ｆ型接栓が凹部に設けられていても、Ｆ型接栓に簡単に装着することができる。
【０００８】
しかし、この種の同軸ケーブルコネクタは、Ｆ型接栓に装着する際には、Ｆ型接栓の外部導体を嵌合部に挿入するだけであるため、一旦装着しても、同軸ケーブルの移動（引っ張り）等によって外れ易くなる。このため、例えば、テレビ端子と録画装置との接続に利用した際、予約録画時にその接続が外れていて、録画できなかった、というような不具合が生じ易くなり、このような不具合が生じることのないよう、信頼性を向上することが望まれていた。
【０００９】
そして、この要望に応えるために、従来では、嵌合部の開口端側にスリットを形成することで、嵌合部の開口端側の径を拡大／縮小できるようにし、その嵌合部の開口端側周囲にリングばねと、リングばねを嵌合部の軸方向に移動させるスライド・カラーとを設けることが提案されている（例えば、特許文献１等参照）。
【００１０】
そして、この提案の同軸ケーブルコネクタによれば、嵌合部の開口端側の径を拡大／縮小できるので、嵌合部の開口部を広げた状態で、同軸ケーブルコネクタをＦ型接栓に装着し、その後、嵌合部の開口端を縮径させることによって、同軸ケーブルコネクタ（延いては同軸ケーブル）をＦ型接栓にしっかりと固定できるようになる。
【先行技術文献】
【特許文献】
【００１１】
【特許文献１】特開２００１−２９７８３８号公報
【発明の概要】
【発明が解決しようとする課題】
【００１２】
しかしながら、上記提案の同軸ケーブルコネクタにおいては、嵌合部の開口端の径を拡大／縮小させるために、リングばねとスライド・カラーとを用いることから、構成が複雑になるという問題があった。
【００１３】
また、スライド・カラーは、単にリングばねを移動させるためのものであるため、嵌合部の開口端側に形成したスリットを電気的に遮蔽することができず、スリットを通ってノイズが侵入することがあった。
【００１４】
本発明は、こうした問題に鑑みなされたもので、同軸ケーブルをテレビ端子やアンテナ端子等のＦ型接栓にしっかりと固定することができ、しかも、構成が簡単でノイズの侵入を確実に防止することのできる同軸ケーブルコネクタを提供することを目的とする。
【課題を解決するための手段】
【００１５】
かかる目的を達成するためになされた請求項１に記載の発明は、筒状で、一方の開口端側が同軸ケーブルの外部導体と接続可能に形成され、内部空間内に、前記同軸ケーブルの芯線若しくは該芯線に接続された棒状端子を挿通可能なコネクタ本体と、前記コネクタ本体の前記同軸ケーブルとは反対側の開口端に設けられ、接続対象となる同軸接栓を挿嵌可能な筒状の嵌合部と、を備え、前記コネクタ本体及び嵌合部が導電性の金属にて構成された同軸ケーブルコネクタにおいて、
前記嵌合部は、前記コネクタ本体とは反対側の開口端側が、外方向に向かって径が広がるテーパ状に形成され、しかも、そのテーパ部分が、開口端側から当該嵌合部の中心軸に沿って形成された複数のスリットによって複数に分割されることにより、開口端側が縮径可能に構成され、
前記嵌合部の周囲には、導電性金属にて筒状に形成され、前記コネクタ本体側から前記スリットが形成された開口端側若しくはその逆方向へと、当該嵌合部の中心軸に沿って双方向に移動可能なスライドリングが設けられていることを特徴とする。
【００１６】
また、請求項２に記載の発明は、請求項１に記載の同軸ケーブルコネクタにおいて、前記嵌合部の開口端側内周面には、前記同軸接栓の外周面に形成されたねじ山に係合可能な突条が形成されていることを特徴とする請求項１に記載の同軸ケーブルコネクタ。
【００１７】
次に、請求項３に記載の発明は、請求項１又は請求項２に記載の同軸ケーブルコネクタにおいて、前記スライドリングの内周面及び前記嵌合部の外周面の少なくとも一方に、前記スライドリングが前記嵌合部の開口端側に移動されて前記嵌合部を縮径させた特定位置にて、前記嵌合部側若しくは前記スライドリング側の係合部と係合して、前記スライドリングを位置決めする係合突起が形成されていることを特徴とする。
【００１８】
また、請求項４に記載の発明は、請求項３に記載の同軸ケーブルコネクタにおいて、前記嵌合部の外周面に形成される係合部は、前記スライドリングが前記嵌合部の開口端側に移動されてスライドリングの係合部と係合する際、前記嵌合部の開口端が拡縮してスライドリングの内周面に当たり、音を発生するよう、前記嵌合部の開口端近傍に形成されていることを特徴とする。
【００１９】
また次に、請求項５に記載の発明は、請求項１〜請求項４の何れか１項に記載の同軸ケーブルコネクタにおいて、前記スライドリングの周囲には、樹脂製のリングカバーが設けられていることを特徴とする。
【００２０】
また、請求項６に記載の発明は、請求項５に記載の同軸ケーブルコネクタにおいて、前記スライドリングには、前記コネクタ本体とは反対側の開口端からコネクタ本体側に向かって、前記嵌合部のスリットよりも短く、且つ、前記嵌合部のスリットと重なることのないよう、複数のスリットが形成されており、前記リングカバーは、前記スライドリングのコネクタ本体側の端部に設けられていることを特徴とする。
【００２１】
また、請求項７に記載の発明は、請求項１〜請求項６の何れか１項に記載の同軸ケーブルコネクタにおいて、前記コネクタ本体の内部空間内には、同軸ケーブルの芯線が圧着された棒状端子を前記嵌合部内に突出させた状態で保持する絶縁性部材が設けられており、
前記コネクタ本体の内周面に接する前記絶縁性部材の外周面において、前記同軸ケーブルの芯線と棒状端子との圧着部分に対応する位置には、前記コネクタ本体の内周面との間で空間を形成する凹部が形成されていることを特徴とする。
【００２２】
また、請求項８に記載の発明は、請求項１〜請求項７の何れか１項に記載の同軸ケーブルコネクタにおいて、前記嵌合部には、当該嵌合部内に前記同軸接栓を挿入した際、当該嵌合部の内周面と前記同軸接栓の外周面との間に配設されて同軸接栓の外周面を付勢する板ばねが設けられていることを特徴とする。
【発明の効果】
【００２３】
請求項１に記載の同軸ケーブルコネクタにおいては、嵌合部のコネクタ本体とは反対側の開口端側が、外方向に向かって径が広がるテーパ状に形成され、しかも、そのテーパ部分が、開口端側から当該嵌合部の中心軸に沿って形成された複数のスリットによって複数に分割されている。
【００２４】
そして、嵌合部の周囲には、導電性金属にて筒状に形成され、コネクタ本体側からスリットが形成された開口端側若しくはその逆方向へと、当該嵌合部の中心軸に沿って双方向に移動可能なスライドリングが設けられている。
【００２５】
このため、本発明の同軸ケーブルコネクタによれば、このスライドリングを、コネクタ本体側からスリットが形成された開口端側へと移動させれば、テーパ状に形成された嵌合部の開口端側が縮径され、逆に、その開口端側からコネクタ本体側へと移動させれば、嵌合部の開口端側がテーパ状に広がり、その径が拡大することになる。
【００２６】
よって、嵌合部の開口端側の径を拡大／縮小させるためにリングばねとスライド・カラーとを設けた従来のものに比べて、構成が簡単になり、低コストで実現できる。
また、スライドリングは導電性金属にて筒状に形成されているので、同軸ケーブルコネクタを、同軸接栓に装着して、スライドリングを嵌合部の開口端側に移動させた際には、嵌合部の開口端側を縮径させて同軸接栓（上述のＦ型接栓等）に固定できるだけでなく、嵌合部の開口端側に形成されたスリットをスライドリングにて囲み、スリットを通ってノイズが侵入するのを防止することができる。
【００２７】
次に、請求項２に記載の同軸ケーブルコネクタによれば、嵌合部の開口端側内周面に、同軸接栓の外周面に形成されたねじ山に係合可能な突条が形成されていることから、同軸ケーブルコネクタを、同軸接栓に装着して、スライドリングを嵌合部の開口端側に移動させた際には、嵌合部の開口端が縮径するだけでなく、その開口端内周面に形成された突条が同軸接栓に形成されたねじ山と係合する。
【００２８】
このため、請求項２に記載の同軸ケーブルコネクタによれば、同軸ケーブルコネクタを同軸接栓に装着した際、嵌合部が同軸接栓から外れるのを防止し、同軸接栓に対して同軸ケーブルをより強固に固定することができる。
【００２９】
なお、突条は、嵌合部の中心軸周りに環状に形成してもよいが、より好ましくは、同軸接栓の外周面に形成されるねじ山の形状に対応して、螺旋状に形成するとよい。
そして、このようにすれば、突条を略全域でねじ山と係合させることができるので、同軸ケーブルコネクタが同軸接栓から外れるのをより確実に防止することができる。
【００３０】
次に、請求項３に記載の同軸ケーブルコネクタによれば、スライドリングの内周面及び嵌合部の外周面の少なくとも一方に、スライドリングが嵌合部の開口端側に移動されて嵌合部を縮径させた特定位置で嵌合部側若しくはスライドリング側の係合部と係合して、スライドリングを位置決めする係合突起が形成されている。
【００３１】
このため、同軸ケーブルコネクタを同軸接栓に装着して、スライドリングを嵌合部の開口端側に移動させ、同軸ケーブルを同軸接栓に固定した際、係合突起によりスライドリングを位置決めして、スライドリングがコネクタ本体側に移動するのを防止できる。
【００３２】
また、同軸ケーブルコネクタを同軸接栓に装着して、スライドリングを嵌合部の開口端側に移動させた際、係合突起が係合部と係合すると音や振動が発生するので、スライドリングの操作者は、スライドリングが所定の固定位置まで移動できたことを検知できることになり、使い勝手を向上できる。
【００３３】
なお、このように係合部の係合状態を音で確認できるようにするには、請求項４に記載のように、スライドリングが嵌合部の開口端側に移動されて係合突起が係合部と係合する際、嵌合部の開口端が係合突起の突出量に応じた量だけ開き（換言すれば拡縮し）、嵌合部がスライドリングの内周面に当接されて、音を発生するよう、係合部を、同軸接栓が挿入される開口端近傍に形成することが望ましい。
【００３４】
また次に、請求項５に記載の同軸ケーブルコネクタによれば、スライドリングの周囲に、樹脂製のリングカバーが設けられているため、使用者がスライドリングを手動で移動させる際には、リングカバーが滑り止めとなり、スライドリング操作時の使い勝手を向上できる。
【００３５】
また、使用者がスライドリングを操作する際には、リングカバーが、スライドリングと使用者との間を電気的に絶縁することになるので、同軸ケーブルの外部導体に電気信号が流れていたとしても、その信号が使用者に伝わるのを防止し、安全性を向上できる。
【００３６】
一方、請求項６に記載の同軸ケーブルコネクタにおいて、スライドリングには、コネクタ本体とは反対側の開口端からコネクタ本体側に向かって、嵌合部のスリットよりも短く、且つ、嵌合部のスリットと重なることのないよう、複数のスリットが形成されている。
【００３７】
このため、請求項６に記載の同軸ケーブルコネクタによれば、使用者がスライドリングを嵌合部の開口端側に移動させる際に、スライドリングの開口が広がって、スムーズに移動させることができるようになり、操作性を向上できる。
【００３８】
また、スライドリングのスリットは、嵌合部のスリットよりも短く、しかも、嵌合部のスリットと重なることがないため、スリットで分割された嵌合部の開口端を外側から付勢して、嵌合部の開口端を縮径させることができ、上述したスライドリングの機能を損なうことはない。
【００３９】
また、請求項６に記載の同軸ケーブルコネクタにおいて、使用者がスライドリングを手動で移動させる際に用いられるリングカバーは、スライドリングのコネクタ本体側の端部に設けられることから、スライドリングに形成されたスリットを塞ぎ、その機能を損なうことを防止できる。
【００４０】
また、請求項７に記載の同軸ケーブルコネクタにおいては、コネクタ本体の内部空間内に絶縁性部材が設けられており、この絶縁性部材にて、同軸ケーブルの芯線が圧着された棒状端子を嵌合部内に突出させた状態で保持するようにされている。
【００４１】
このため、請求項７に記載の同軸ケーブルコネクタによれば、同軸接栓に装着した際、同軸ケーブルの芯線と、接続対象となる同軸接栓の中心導体とを、棒状端子を介して接続することができるようになり、同軸ケーブルの芯線を嵌合部内に突出させて、同軸接栓の中心導体に同軸ケーブルの芯線を直接接続するようにした場合に比べて、同軸接栓への接続時の信頼性を向上することができる。
【００４２】
また、請求項７に記載の同軸ケーブルコネクタによれば、コネクタ本体の内周面に接する絶縁性部材の外周面において、同軸ケーブルの芯線と棒状端子との圧着部分に対応する位置には、コネクタ本体の内周面との間で空間を形成する凹部が形成されていることから、この凹部の大きさを適宜設定することにより、同軸ケーブルの芯線と棒状端子との圧着部分で生じる伝送インピーダンスの不整合を解消し、当該同軸ケーブルコネクタを介して形成される伝送経路の伝送特性が劣化するのを防止できる。
【００４３】
また次に、請求項８に記載の同軸ケーブルコネクタによれば、嵌合部の内部には、Ｆ型接栓等の同軸接栓が挿入された際に、その同軸接栓の外周面を付勢する板ばねが設けられているため、同軸接栓の外部導体と嵌合部とを面接触させてシールド性を確保することができる。
【図面の簡単な説明】
【００４４】
【図１】実施形態の同軸ケーブルコネクタの外観を表す側面図である。
【図２】同軸ケーブルコネクタの内部構成及びその動作を説明する断面図である。
【図３】同軸ケーブルコネクタを分解した状態を表す斜視図である。
【図４】嵌合部内に板ばねを設けた同軸ケーブルコネクタの構成を表す断面図である。
【図５】スライドリング周囲にリングカバーを設けた同軸ケーブルコネクタの構成を表す断面図である。
【図６】同軸ケーブルの芯線に圧着された棒状端子を備えスライドリングにスリットが形成された同軸ケーブルコネクタの構成を表す説明図である。
【図７】Ｌ字形に形成された同軸ケーブルコネクタの構成を表す説明図である。
【発明を実施するための形態】
【００４５】
以下に本発明の実施形態を図面と共に説明する。
図１〜図３は、実施形態の同軸ケーブルコネクタの構成を表す説明図であり、図１は、同軸ケーブルコネクタの外観を表す側面図、図２（ａ）は、嵌合部の開口端側を広げた状態を表す断面図、図２（ｂ）は、嵌合部の開口端側を縮径させた状態を表す断面図、図３（ａ）は、同軸ケーブルコネクタの分解斜視図、図３（ｂ）は、同軸ケーブルコネクタの構成部品を中心軸に沿った面にて切断した状態を表す一部破断斜視図である。
【００４６】
本実施形態の同軸ケーブルコネクタは、テレビ端子やアンテナ端子等を構成するＦ型接栓２に同軸ケーブル４を接続するためのものであり（図２（ａ）参照）、同軸ケーブル４を接続するためのコネクタ本体１０と、Ｆ型接栓２を接続するための接栓接続部２０と、を備える。
【００４７】
この内、コネクタ本体１０は、同軸ケーブル４の芯線５周囲の絶縁部材６と、その絶縁部材６周囲の外部導体７との間に挿入可能な筒状の挿入部１２を備える。そして、挿入部１２の後端側には、挿入部１２を同軸ケーブル４に挿入した際に同軸ケーブル４の外部導体７若しくは外部導体７周囲の被覆部材８が当接されることにより、挿入部１２（延いてはコネクタ本体１０）を同軸ケーブル４の先端に位置決めする鍔部１４が形成されている。また、鍔部１４の挿入部１２とは反対側には、接栓接続部２０を固定するための筒状の固定部１６が形成されている。
【００４８】
なお、コネクタ本体１０を構成する挿入部１２、鍔部１４、固定部１６は、導電性金属（例えば、Ｃ３６０４Ｂ）にて一体形成されている。また、固定部１６の内径は、挿入部１２の内径よりも大きくなっている。これは、挿入部１２に挿入された同軸ケーブル４の絶縁部材６を接栓接続部２０側へ挿通できるようにするためである。
【００４９】
一方、接栓接続部２０は、Ｆ型接栓２を挿嵌可能な筒状の嵌合部２２を備え、その嵌合部２２のＦ型接栓２側の開口端とは反対側には、同軸ケーブル４の絶縁部材６を挿通可能な挿通孔２４が形成された壁部２６が設けられ、その壁部２６の嵌合部２２とは反対側には、コネクタ本体１０の固定部１６に嵌合固定される筒状の固定部２８が突設されている。なお、接栓接続部２０を構成する嵌合部２２、壁部２６、及び固定部２８は、コネクタ本体１０と同様、導電性金属（例えば、Ｃ３６０４Ｂ）にて一体形成されている。また、固定部２８と固定部１６は圧入によって固着する。
【００５０】
このため、本実施形態の同軸ケーブルコネクタは、図２（ａ）に示すように、被覆部材８及び外部導体７の先端から、絶縁部材６が、固定部１６及び壁部２６の中心軸方向の長さ分だけ突出し、更に、絶縁部材６の先端から、嵌合部２２の長さ分だけ突出するように、同軸ケーブル４の先端を加工し、挿入部１２を、同軸ケーブルの外部導体７と絶縁部材６との間に挿入すれば、同軸ケーブル４の芯線５を嵌合部２２で囲んだ端子構造にすることができる。
【００５１】
そして、この状態で、嵌合部２２を、テレビ端子等を構成しているＦ型接栓２に装着すれば、同軸ケーブル４の芯線５がＦ型接栓２の中心導体に接続され、同軸ケーブル４の外部導体７が嵌合部２２を介してＦ型接栓２の外部導体に接続されることになる。
【００５２】
しかし、嵌合部２２をＦ型接栓２に装着しただけでは、同軸ケーブルコネクタがＦ型接栓２から外れ易い。
そこで、本実施形態では、嵌合部２２の開口端側を、外方向に広がるテーパ状に形成し、そのテーパ状に形成された部分に、嵌合部２２（延いては同軸ケーブルコネクタ）の中心軸に沿って複数のスリット３０を形成することにより、嵌合部２２の開口端側を、その中心軸から放射状に複数に分割している。
【００５３】
つまり、このように嵌合部２２の開口端側を、スリットを介して複数に分割することで、嵌合部２２の開口端側を周囲から付勢した際に、嵌合部２２の開口端側の径が縮小して、嵌合部２２がＦ型接栓２の外部導体にしっかりと固定できるようにされている。
【００５４】
そして、嵌合部２２の開口端側の内壁には、開口端が縮径された際に、Ｆ型接栓２の外部導体の周囲に形成されたねじ山に係合するよう、周方向に形成された突条３２が設けられている。
【００５５】
また、嵌合部２２の周囲には、導電性金属（例えば、Ｃ３６０４Ｂ）にて筒状に形成されたスライドリング４０が設けられている。このスライドリング４０は、コネクタ本体１０と接栓接続部２０とを接続した状態で、嵌合部２２のスリット３０が形成されていない領域から鍔部１４迄の領域を囲むように、軸方向の長さが設定されており、内径は、嵌合部２２のスリット３０が形成されていない領域（テーパ状に形成されていない領域）の外径と略同じか少し大きくなっている。
【００５６】
また、スライドリング４０の内壁には、鍔部側から中心軸方向に形成された一対の突起４２が設けられており、嵌合部２２の後端側には、これら各突起４２が係合されて、スライドリング４０を開口端側に移動可能に案内する切り欠き３８が形成されている。
【００５７】
そして、嵌合部２２の開口端側外壁及びスライドリング４０の開口端側内壁には、その周方向に沿って、一対の突条３６、４４が設けられている。この突条３６、４４は、スライドリング４０を嵌合部２２の開口端側に移動させた際に、スライドリング４０が嵌合部２２の最先端に到達する手前で当接され、スライドリング４０を更に最先端側に移動させると、突条４４が嵌合部２２の突条３６を乗り越え、スライドリング４０が逆方向に移動するのを阻止するように形成されている。
【００５８】
また、スライドリング４０の後端側の内壁には、スライドリング４０の先端が嵌合部２２の開口端に達した位置で、嵌合部２２の後端に当接されて、スライドリング４０の先端側への移動を阻止する突起(突条）４６が設けられている。
【００５９】
上記のように構成された本実施形態の同軸ケーブルコネクタによれば、スライドリング４０を嵌合部２２の開口端側に移動させると、スライドリング４０により嵌合部２２の開口端側の外周面がスライドリング４０の内周面に当たって、嵌合部２２のスリット３０で分割された部分が中心軸に向けて変位し、嵌合部２２の開口端側の径が縮小される。
【００６０】
そして、スライドリング４０を、スライドリング４０の突条４４が嵌合部２２の突条３６を乗り越える最先端位置まで移動させると、スライドリング４０が、これら各突条４４、３６の係合により位置決めされ、スライドリング４０が鍔部１４側に移動して、嵌合部２２の開口端側の径が大きくなるのが防止される。
【００６１】
このように、本実施形態の同軸ケーブルコネクタによれば、スライドリング４０だけで、嵌合部２２の開口端側の径を拡大／縮小できるようにされているため、前述の従来技術に対して、構成が簡単になり、低コストで実現できる。
【００６２】
また、スライドリング４０は導電性金属にて筒状に形成されているので、同軸ケーブルコネクタをＦ型接栓２に装着して、スライドリング４０を嵌合部２２の開口端側に移動させた際には、嵌合部２２の開口端側を縮径させてＦ型接栓２にしっかりと固定できるだけでなく、嵌合部２２の開口端側に形成されたスリット３０をスライドリング４０にて囲み、スリット３０を通ってノイズが侵入するのを防止することができる。
【００６３】
また、本実施形態の同軸ケーブルコネクタにおいては、スライドリング４０が嵌合部２２の開口端側の先端位置に移動した際にスライドリング４０を位置決めするために、嵌合部２２の開口端側外壁及びスライドリング４０の開口端側内壁に、互いに係合可能な突条３６、４４が設けられている。
【００６４】
このため、本実施形態の同軸ケーブルコネクタによれば、同軸ケーブルコネクタをＦ型接栓に装着して、スライドリング４０を嵌合部の開口端側に移動させることにより、同軸ケーブル４をＦ型接栓２に固定した際には、上記一対の突条３６、４４を係合させることによって、スライドリング４０を、Ｆ型接栓２への固定位置に位置決めすることができる。
【００６５】
また、このように突条３６、４４同士を係合させた際には、スライドリング４０側の突条４４が嵌合部２２側の突条３６を乗り越えることにより、嵌合部２２の開放端が外方向に広がり、突条３６がスライドリング４０の内壁に当接されるので、音や振動が発生する。このため、スライドリング４０の操作者は、スライドリング４０を最先端位置まで移動できたことを音若しくは振動で検知できることになり、使い勝手を向上できる。
【００６６】
以上、本発明の一実施形態について説明したが、本発明は、上記実施形態に限定されるものではなく、本発明の要旨を逸脱しない範囲内にて種々の態様をとることができる。
[変形例１] 
例えば、図４(ａ)に示すように、嵌合部２２において、スリット３０が形成されていない後端側の筒状部には、嵌合部２２内にＦ型接栓２等の同軸接栓が挿入された際に、同軸接栓の外周面を付勢する板ばね５０を設けるようにしてもよい。
【００６７】
そして、このようにすれば、板ばね５０により、同軸接栓の外部導体と嵌合部２２とを面接触させてシールド性を確保することができると共に、板ばね５０の付勢力によって、嵌合部２２を同軸接栓により強固に固定することができるようになる。
【００６８】
なお、この場合、板ばね５０には、例えば、図４（ｂ）に示すように、ばね材となる金属板に、略平行なスリットを多数形成して、スリットの間の板部が一つ置きに一方向に突出するようプレス成形し、その突出方向が内側になるよう、金属板をスリットの配列方向に巻回して筒状にしたものを使用するとよい。
[変形例２] 
また例えば、図５に示すように、スライドリング４０の後端側外周面には、合成樹脂（例えば、軟質ＰＶＣ）からなるリングカバー６０を設けることで、使用者が、このリングカバー６０を介して、スライドリング４０を操作できるようにしてもよい。
【００６９】
そして、このようにすれば、スライドリング４０を移動させる際、使用者は、スライドリング４０に直接触れる必要がないので、同軸ケーブルの外部導体に電気信号が流れていたとしても、その信号が使用者に伝わるのを防止し、安全性を向上できる。
【００７０】
なお、このようにリングカバー６０を設ける際には、図５に示すように、スライドリング４０の後端側外周面に、リングカバー６０を位置決め固定するための突起（図では周方向に形成された突条）４８を形成するとよい。
【００７１】
また、リングカバー６０の軸方向の長さは、例えば、図５に示すように、建造物の壁面の凹部に設けられたテレビ端子（Ｆ型接栓２）に嵌合部２２を装着して、スライドリング４０を嵌合部２２の開口端側に移動させた際に、リングカバー６０が建造物の壁面に当たることのないよう、同軸ケーブルコネクタを使用する場所に応じて、適宜設定すればよい。
[変形例３]
次に、上記実施形態では、スライドリング４０は、単に筒状に形成するものとして説明したが、図６に示す同軸ケーブルコネクタのように、スライドリング４０には、同軸ケーブル４が接続されるコネクタ本体１０とは反対側の開口端からコネクタ本体１０側に向かって、嵌合部２２のスリット３０よりも中心軸方向の長さが短く、且つ、嵌合部２２のスリット３０と重なることのないよう、複数のスリットを形成してもよい。
【００７２】
なお、図６において、（ａ）は変形例３の同軸ケーブルコネクタの外観を表す側面図、（ｂ）はその内部構成を表す断面図である。
そして、このようにすれば、使用者がスライドリング４０を嵌合部２２の開口端側に移動させる際に、スライドリング４０の開口が少し広がって、スライドリング４０をスムーズに移動させることができるようになり、操作性を向上できる。
【００７３】
また、スライドリング４０のスリット４１は、嵌合部２２のスリット３０よりも短く、しかも、そのスリット３０と重なることがないため、スリット４１を設けていない上記実施形態のスライドリング４０と同様、嵌合部２２においてスリット３０で分割された各突片を外側から付勢して、嵌合部２２の開口端を縮径させることができ、しかも、嵌合部２２に形成されたスリット３０を塞いで、その内部をシールドすることができる。
【００７４】
また、この変形例３の同軸ケーブルコネクタにおいて、スライドリング４０には、リングカバー６０が設けられているが、このリングカバーは、スリット４１を塞ぐことのないよう、スライドリング４０の同軸ケーブル４側（つまりコネクタ本体１０側）の端部に設けられている。
【００７５】
また、上記実施形態や変形例１、２で説明した同軸ケーブルコネクタは、同軸ケーブル４の芯線５を嵌合部２２内に直接突設させる構造になっている（図１〜図５参照）が、図６に示す変形例３の同軸ケーブルコネクタは、金属材料にて筒状に形成されるコネクタ本体１０の軸方向の長さを、図１〜図５に示したものに比べて長くして、その内部空間内に絶縁性部材６５を設け、その絶縁性部材６５を介して、同軸ケーブル４の芯線５が圧着された棒状端子７０を保持することで、棒状端子７０の先端を所謂中心導体として嵌合部２２内に突出させる構造となっている。
【００７６】
このため、図６に示した変形例３の同軸ケーブルコネクタによれば、同軸接栓に装着した際、同軸ケーブル４の芯線５と、接続対象となる同軸接栓の中心導体とを、棒状端子７０を介して接続することができるようになり、同軸ケーブル４の芯線５が嵌合部２２内で変形するのを防止して、同軸接栓への接続時の信頼性を向上することができる。
【００７７】
なお、棒状端子７０において、嵌合部２２とは反対側の後端部には、同軸ケーブル４の芯線５を挿入して圧着できるように、棒状端子７０の軸方向の中間部や先端部に比べ大径で、後端側から芯線挿入用の孔が形成された圧着部７２が形成されている。
【００７８】
そして、コネクタ本体１０の内周面に接する絶縁性部材６５の外周面において、棒状端子７０の圧着部７２に対応する位置には、コネクタ本体１０の内周面との間で空間を形成する凹部６７が形成されている。
【００７９】
この凹部６７は、同軸ケーブル４の芯線５と棒状端子７０との圧着部分で生じる伝送インピーダンスの不整合を解消し、当該同軸ケーブルコネクタを介して形成される伝送経路の伝送特性が劣化するのを防止するためのものである。
【００８０】
また、図６に示した変形例３の同軸ケーブルコネクタにおいて、同軸ケーブル４の外部導体は、同軸ケーブル４の先端部分に外嵌された環状の接続部材７ａに接続され、その接続部材７ａを、コネクタ本体１０の嵌合部２２とは反対側端部に形成されたケーブル接続部１３の内側に嵌合することで、コネクタ本体１０に接続されている。
【００８１】
そして、ケーブル接続部１３と同軸ケーブル４との接続部分には、この接続部分を保護する合成樹脂製のブッシュ７６が設けられおり、しかも、このブッシュ７６とコネクタ本体１０との接続部分は、合成樹脂の射出成形にて形成されるオーバーモールド７８にて保護されている。
【００８２】
つまり、図６に示した変形例３の同軸ケーブルブルコネクタは、ブッシュ７６及びオーバーモールド７８を利用して、同軸ケーブル４の先端に一体的に組み付けられている。このため、同軸ケーブルコネクタが同軸ケーブル４から外れるようなことはなく、これによっても同軸ケーブルコネクタの信頼性を向上することができる。
【００８３】
また、図６に示した変形例３の同軸ケーブルコネクタにおいて、スライドリング４０の０の軸方向の移動量は、スライドリング４０の嵌合部２２とは反対側端部に形成された壁部４３が絶縁性部材６５の外周面に形成された段差部１８若しくはオーバーモールド７８の嵌合部側端部に当接することにより規制される。
【００８４】
そして、スライドリング４０の嵌合部２２側開口端の内周面には、突条４４が設けられており、スライドリング４０が嵌合部２２側に移動して、その後端の壁部４３がスライドリング４０の段差部１８に当接された際には、突条４４が嵌合部２２の開口端を乗り越えることにより、嵌合部２２の開口端が外方向に広がり、その開口端面と突条４４とが係合して、スライドリング４０がその位置に位置決めされる。
【００８５】
また、その係合時には、嵌合部２２の開口端が外方向に広がることで、スライドリング４０の内壁に当接されるので、音や振動が発生し、使用者は、スライドリング４０を最先端位置まで移動できたことを音若しくは振動で検知できることになる。
[変形例４]
次に、実施形態や変形例１〜３では、同軸ケーブル４の中心軸と嵌合部２２の中心軸とが直線状に形成される直線形状の同軸ケーブルコネクタについて説明したが、本発明は、同軸ケーブル４の中心軸と嵌合部２２の中心軸とが直交するようＬ字型に形成された同軸ケーブルコネクタであっても、上記と同様に適用することができる。
【００８６】
例えば、図６に示した同軸ケーブルコネクタは、同軸ケーブル４の芯線５に接続された棒状端子７０がコネクタ本体１０の内部空間内に設けられることから、図７に示すように、コネクタ本体１０の嵌合部２２とは反対側端部の側壁に、コネクタ本体１０の中心軸と直交する方向から、同軸ケーブル４の接続部材７ａが嵌合されたケーブル接続部１３を接続し、コネクタ本体１０の内部空間内に設けられる棒状端子７０に同軸ケーブル４の芯線５を圧着するようにすれば、Ｌ字型の同軸ケーブルコネクタを簡単に構成できる。
【００８７】
そして、このＬ字型の同軸ケーブルコネクタにおいても、接栓接続部２０を、図６に示した同軸ケーブルコネクタと同様に、嵌合部２２とスライドリング４０とから構成するようにすれば、本発明を適用して、上記と同様の効果を得ることができる。
[その他の変形例]
一方、嵌合部２２の開口端側の内壁に設ける突条３２の先端形状は、鋭利になっていても、丸みを帯びていてもよい。
【００８８】
そして、上記実施形態では、この突条３２は、嵌合部２２の内周全域に設けるものとしたが、嵌合部２２の先端でスリット３０により分割される一部の突片のみに設けてもよい。
【００８９】
また、この場合、突条３２を設けていない突片については、外方向に広がるテーパ状に形成せず、軸方向に真っ直ぐ延びるストレート形状にするか、或いは外方向に広がる角度を小さくするようにしてもよい。
【００９０】
このようにすれば、スライドリング４０を開口端側に移動させて固定位置に位置決め（ロック）したり、その位置決め（ロック）を解除したりするのに要する力を小さくすることができ、スライドリング４０の操作性を向上できる。
【００９１】
また、上記実施形態では、突条３２は、嵌合部２２の中心軸周りに環状に形成するものとして説明したが、接続対象となる同軸接栓の外周面に形成されるねじ山の形状に対応して、螺旋状に形成してもよい。
【００９２】
そして、このようにすれば、突条を略全域でねじ山と係合させることができるので、同軸ケーブルコネクタが同軸接栓から外れるのをより確実に防止することができる。
また、図１〜図５に示した実施形態又は変形例１、２の同軸ケーブルコネクタにおいて、スライドリング４０の内壁に設けた突起４２と、この突起４２に係合してスライドリング４０の移動を案内する切り欠き３８は、必ずしも設ける必要はなく、無くてもよい。
【００９３】
同じく、図１〜図５に示した実施形態又は変形例１、２の同軸ケーブルコネクタにおいて、挿入部１２の先端部分は、外径が同じ円筒形状となっているが、同軸ケーブル４に挿入しやすく、且つ、挿入後に同軸ケーブルから外れ難くするために、先端側程外径が小さくなるよう挿入部１２の外周をテーパ状にし、最先端部分で一旦径を大きくして先細りにした形状にしてもよい。また、このようなテーパを軸方向に複数段形成するようにしてもよい。
【符号の説明】
【００９４】
２…Ｆ型接栓（同軸接栓）、４…同軸ケーブル、５…芯線、６…絶縁部材、７…外部導体、７ａ…接続部材、８…被覆部材、１０…コネクタ本体、１２…挿入部、１３…ケーブル接続部、１４…鍔部、１６…固定部、１８…段差部、２０…接栓接続部、２２…嵌合部、２４…挿通孔、２６…壁部、２８…固定部、３０…スリット、３２，３６…突条、３８…切り欠き、４０…スライドリング、４１…スリット、４２…突起、４３…壁部、４４，４８…突条、５０…板ばね、６０…リングカバー、６５…絶縁性部材、６７…凹部、７０…棒状端子、７２…圧着部、７６…ブッシュ、７８…オーバーモールド。
【図１】
2010257936.tif 000003
【図２】
2010257936.tif 000004
【図３】
2010257936.tif 000005
【図４】
2010257936.tif 000006
【図５】
2010257936.tif 000007
【図６】
2010257936.tif 000008
【図７】
2010257936.tif 000009